(57)【要約】      （修正有）【課題】トーションバネを長時間使用しても切れず、使用寿命を延ばすことができるバネのねじり構造及び該構造を使用した腹筋ローラーを提供する。【解決手段】バネのねじり構造及び該構造を使用した腹筋ローラーは、軸桿２の一端面上に螺旋状の定位槽２１１を設置し、トーションバネ３は、軸桿上に嵌合する。トーションバネの一端は定位槽内に対応して嵌合し、且つ定位部品４が軸桿を連結する。トーションバネの端を定位し、このバネねじり構造を使用した腹筋ローラーは支持台の左右両側に於いて、それぞれハンドルを設置する。支持台の底部は前ローラー及び後ローラーを設置し、少なくとも一ローラーの内部にバネねじり構造を設置する。更にバネねじり構造のトーションバネの別一端はローラーの内部に連結し、腹筋ローラー設置地面上で前進、もしくはトーションバネの弾性回復力で後進する。【選択図】図１
0003215418.tif 000002
【実用新案登録請求の範囲】
【請求項１】
バネのねじり構造において、
その一端面に螺旋状の定位槽を備える軸捍と、
該軸桿上に嵌合し、一端は螺旋状で、該定位槽内に対応して嵌合するトーションバネと、
該軸桿を連結し、該トーションバネの該端を定位する定位部品を含むことを特徴とするバネのねじり構造。
【請求項２】
前記軸桿の該端面には第一定位部を設置し、該定位部品には第二定位部を設置して、該第一定位部を連結することを特徴とする請求項１記載のバネのねじり構造。
【請求項３】
前記第一定位部は、該軸桿の該端面から軸向きに突出し且つ外ネジ紋の円捍を備え、また該第二定位部は該定位部品軸心の一内ネジ孔に成形して該第一定位部を螺合することを特徴とする請求項１記載のバネのねじり構造。
【請求項４】
前記軸桿は、桿体及び該桿体逆方向の二端面から、それぞれ軸方向に延びる左心軸及び右心軸を含み、該第一定位部と該左心軸は同軸であり、該第一定位部の直径は該左心軸の直径より大きく且つ該定位槽は該第一定位部の周辺縁を囲むことを特徴とする請求項３記載のバネのねじり構造。
【請求項５】
前記バネねじり構造の腹筋ローラーは、支持台を含み、該支持台の左右両側は、それぞれハンドルを備え、該支持台の底部は前ローラー及び後ローラーを設置し、該前ローラーと該後ローラーのうち、少なくとも一ローラーの内部は、バネねじり構造を設置し、該バネねじり構造の該トーションバネは該軸桿上に嵌合し、且つ該トーションバネの一端は、該ローラーの内部を連結し、該トーションバネの別一端は該軸桿の該端面上に連結することを特徴とする請求項１記載のバネのねじり構造及び該構造を使用した腹筋ローラー。
【考案の詳細な説明】
【技術分野】
【０００１】
本考案は、バネのねじり構造及び該構造を使用した腹筋ローラーに関するもので、特にトーションバネを長時間使用しても切れず、腹筋ローラー製品の使用寿命を延ばす。
【背景技術】
【０００２】
現在、市場でよく目にする腹筋ローラーは主に、支持台を含む。支持台の左右両側にはそれぞれハンドルを備え、且つ支持台の底部にはそれぞれ前ローラー及び後ローラーを設置する。前ローラー及び後ローラーの内部は、それぞれトーションバネを設置する。二個のトーションバネはそれぞれ軸桿上に嵌合し、且つ二個のトーションバネの一端は、それぞれ前ローラー及び後ローラーの内部に固定し、二個のトーションバネの別一端は、それぞれ二本の軸桿上に固定する。使用者が前方向に傾け、且つ両手はそれぞれ支持台左右両側のハンドルを握る時、地面で前向きに前進したり、後進し、後ろ向きに引き戻る時、トーションバネの弾性回復力に拠って、動作がスムーズになり、使用者の腰部に規則正しく訓練を行い、健康効果を達成する。
【先行技術文献】
【特許文献】
【０００３】
【特許文献１】特表2006-528902号公報
【考案の概要】
【考案が解決しようとする課題】
【０００４】
解決しようとする問題点として、二個のトーションバネの別一端がそれぞれ二本の軸桿上に固定する時、トーションバネの別一端は折曲された形態になる。故にネジで固定定位されるが、トーションバネが何度も捻れたり延びたりする過程において、この種の突然折曲構造が応力集中によって切断されてしまうため、製品の使用寿命を縮めることになる点である。
【課題を解決するための手段】
【０００５】
本考案は、軸桿の一端面上に螺旋状の定位槽を設置し、トーションバネは、軸桿上に嵌合する。トーションバネの一端は定位槽内に対応して嵌合し、且つ定位部品は軸桿を連結する。トーションバネの該端を定位し、上述バネねじり構造を使用した腹筋ローラーは支持台の左右両側に於いて、それぞれハンドルを設置する。支持台の底部は前ローラー及び後ローラーを設置し、前ローラーと後ローラーのうち、少なくとも一ローラーの内部にはバネねじり構造を設置する。更にバネねじり構造のトーションバネの別一端はローラーの内部に連結し、腹筋ローラー可以在地面上で前進したり、もしくはトーションバネの弾性回復力で後進したりすることを最も主要な特徴とする。
【考案の効果】
【０００６】
本考案のバネのねじり構造及び該構造を使用した腹筋ローラーは、トーションバネを長時間使用しても切れず、腹筋ローラー製品の使用寿命を延ばすという利点がある。
【図面の簡単な説明】
【０００７】
【図１】本考案のバネねじり構造の良好な実施例の部品分解図である。
【図２】本考案のバネねじり構造の良好な実施例の立体外観指示図である。
【図３】本考案の腹筋ローラーの良好な実施例の部品分解図である。
【考案を実施するための形態】
【０００８】
これらの欠点を鑑み、公知技術の構造とは異なり、欠点を改善する為、公知技術の構造と異なるものを提供することで上述の欠点を改善する。考案者は長年の経験と不断の研究会活によって本考案を考案した。
【０００９】
公知のトーションバネの一端が多数回のネジリ及び延びの過程において、応力が集中して切れやすくなる問題を改善し、バネねじり構造が長時間の使用でも切れにくく、腹筋ローラー製品の使用寿命を延ばすバネのねじり構造及び該構造を使用した腹筋ローラー構造を提供することを本考案の目的とする。
【００１０】
上述の目的を達成するため、本考案のバネねじり構造は、軸桿、トーションバネ及び定位部品を含む。そのうち、該軸桿の一端面は、螺旋状の定位槽を備える。該トーションバネは、軸桿上に嵌合し、トーションバネの一端は螺旋状で定位槽内に対応して掛合する。また該定位部品は軸桿を連結し、トーションバネの該端を定位する。
【００１１】
実施時、該軸桿の端面は第一定位部を設置し、定位部品は第二定位部を設置し、第一定位部を連結する。
【００１２】
実施時、該第一定位部は軸桿の端面から軸向きに突出して外ネジ紋の円捍を備える。また第二定位部は定位部品軸心に内ネジ孔を形成し、第一定位部を螺合する。
【００１３】
実施時、該軸桿は桿体及び該桿体逆方向の二端面からそれぞれの方向に延びる左心軸及び右心軸を含む。第一定位部と左心軸は同軸で、第一定位部の直径は左心軸の直径より大きく且つ定位槽は第一定位部の周辺縁を囲む。
【００１４】
本考案の腹筋ローラーは、支持台を含む。支持台の左右両側は、それぞれハンドルを備え、支持台の底部は、前ローラー及び後ローラーを設置し、前ローラーと後ローラーのうち、少なくとも一ローラーの内部はバネねじり構造を設置する。バネねじり構造のトーションバネは、軸桿上に嵌合し、且つトーションバネの一端はローラーの内部を連結し、トーションバネの別一端は軸桿の端面上に連結する。
【００１５】
本考案を更に理解するため、以下に説明する。
【実施例】
【００１６】
図１、２に示すのは、本考案のバネねじり構造１の良好な実施例であり、それは軸桿２、トーションバネ３及び定位部品４を含む。
【００１７】
該軸桿２は桿体２１、左心軸２２、第一定位部２３及び右心軸２４を含む。そのうち、桿体２１は逆方向の左、右二端面を備え、且つ軸桿２１の左端面は螺旋状の定位槽２１１を備える。左心軸２２及び第一定位部２３は同一軸心上にあり、同時に桿体２１の左端面から軸方向左側に延びる。第一定位部２３は軸桿２の左端面から軸方向に突出し、且つ外ネジ紋の一円捍を有する。第一定位部２３の直径は左心軸２２の直径より大きく、定位槽２１１は第一定位部２３の周辺縁を囲み、右心軸２４は桿体２１の右端面から軸方向右側に延びる。
【００１８】
該トーションバネ３は、軸桿２の桿体２１上に嵌合し、トーションバネ３は二個の定位端３１、３２を備える。そのうち一端は螺旋状で対応して納置され、軸桿２左端面の定位槽２１１内に掛合される。また該定位部品４は円板片であり、定位部品４の軸心上には貫通した定位部品４の内ネジ孔を備え、該内ネジ孔は第二定位部４１とする。第二定位部４１が第一定位部２３に螺合されると、定位部品４の板面が桿体２１の左端面にしっかりと合わさり、トーションバネ３の一端を定位槽２１１内にしっかりと定位する。実施時、軸桿２の第一定位部２３及び定位部品４の第二定位部４１はそれぞれ雌雄嵌合またはネジ釘接合でもよく、同様に第一定位部２３と第二定位部４１を連結し、トーションバネ３の一端を定位する。
【００１９】
図３に示すのは、本考案の腹筋ローラー５の良好な実施例であり、それは支持台５１を含む。支持台５１の左、右両側最上部はそれぞれハンドル５２を備え、支持台５１の左、右両側はそれぞれ左側板５３及び右側板５４を備える。そのうち、左側板５３の前、後両端はそれぞれ前ローラー５５の左側及び後ローラー５６の左側に枢設し、右側板５４の前、後両端は、それぞれ前ローラー５５の右側及び後ローラー５６の右側に枢設し、前ローラー５５及び後ローラー５６を支持台５１の底部に定位する。
【００２０】
バネねじり構造１は、前ローラー５５の内部に納置して定位する。実施時、バネねじり構造１は後ローラー５６の内部に納置して定位してもよいし、もしくは前ローラー５５の内部と後ローラー５６の内部にそれぞれバネねじり構造１を納置して定位しても良い。本実施において、軸桿２の左心軸２２及び右心軸２４は、それぞれ支持台５１の左、右側板５３、５４の前端に枢設し、トーションバネ３の定位端３２は、ネジで前ローラー５５の内部をネジ止めする。また、トーションバネ３の別の定位端３１は軸桿２の左端面上で連結する。使用者は前向きに傾け、且つ両手でそれぞれ支持台５１左右両側のハンドル５２を握る時、地面上で前進するか、後進する。更に後ろ向きに引き戻す時、トーションバネ３の弾性回復力によって動作がスムーズになり、使用者の腰部を規則正しく訓練し、健康効果を達成する。
【００２１】
上述のとおり、本考案は確かに予定の目的を達成でき、バネねじり構造が長時間の使用でも切れず、腹筋ローラー製品使用寿命を延ばすバネのねじり構造及び該構造を使用した腹筋ローラーを提供し、それは産業利用の価値が極めて高いため、実用新案登録を申請する。
【符号の説明】
【００２２】
１        バネねじり構造
２        軸桿
２１        桿体
２１１        定位槽
２２        左心軸
２３        第一定位部
２４        右心軸
３        トーションバネ
３１        定位端
３２        定位端
４        定位部品
４１        第二定位部
５        腹筋ローラー
５１        支持台
５２        ハンドル
５３        左側板
５４        右側板
５５        前ローラー
５６        後ローラー
【図１】
0003215418.tif 000003
【図２】
0003215418.tif 000004
【図３】
0003215418.tif 000005
【手続補正書】
【提出日】平成30年1月19日(2018.1.19)
【手続補正１】
【補正対象書類名】実用新案登録請求の範囲
【補正対象項目名】全文
【補正方法】変更
【補正の内容】
【実用新案登録請求の範囲】
【請求項１】
バネのねじり構造において、
その一端面に螺旋状の定位槽を備える軸捍と、
該軸桿上に嵌合し、一端は螺旋状で、該定位槽内に対応して嵌合するトーションバネと、
該軸桿を連結し、該トーションバネの該端を定位する定位部品を含むことを特徴とするバネのねじり構造。
【請求項２】
前記軸桿の該端面には第一定位部を設置し、該定位部品には第二定位部を設置して、該第一定位部を連結することを特徴とする請求項１記載のバネのねじり構造。
【請求項３】
前記第一定位部は、該軸桿の該端面から軸向きに突出し且つ外ネジ紋の円捍を備え、また該第二定位部は該定位部品軸心の一内ネジ孔に成形して該第一定位部を螺合することを特徴とする請求項２記載のバネのねじり構造。
【請求項４】
前記軸桿は、桿体及び該桿体逆方向の二端面から、それぞれ軸方向に延びる左心軸及び右心軸を含み、該第一定位部と該左心軸は同軸であり、該第一定位部の直径は該左心軸の直径より大きく且つ該定位槽は該第一定位部の周辺縁を囲むことを特徴とする請求項３記載のバネのねじり構造。
【請求項５】
前記バネのねじり構造の腹筋ローラーは、支持台を含み、該支持台の左右両側は、それぞれハンドルを備え、該支持台の底部は前ローラー及び後ローラーを設置し、該前ローラーと該後ローラーのうち、少なくとも一ローラーの内部は、バネのねじり構造を設置し、該バネのねじり構造の該トーションバネは該軸桿上に嵌合し、且つ該トーションバネの一端は、該ローラーの内部を連結し、該トーションバネの別一端は該軸桿の該端面上に連結することを特徴とする請求項１記載のバネのねじり構造を使用した腹筋ローラー。